(57)【要約】【課題】冷蔵庫内で注ぎ口を上にして安定良く横置きができ、全量の注ぎ出しが容易で残量を生じ難くし、重量のある容器を持って傾ける操作がし易い。以上のような機能を備えた密閉型冷水筒を提供する。【構成】上面部を開放した容器本体１と、一側に、注ぎ口３と、注ぎ口を開閉する栓蓋６とを具えて、容器本体に嵌着する密封蓋２とを備えた密閉型冷水筒において、密封蓋の注ぎ口側の側面と、注ぎ口側の容器本体の側面をそれぞれ断面半円形に形成し、注ぎ口と対向する他側面部４をそれぞれ平面に形成することにより、容器本体と密封蓋の全周面の一方を断面半円形に形成し、他方に断面コ字形の周面を連続させた形状に形成したこの冷水筒を、注ぎ口３のある側面を上にし、平面の他側面部４を下にして横置きできるようにするとともに、容器本体内に残り少なくなった飲料水を上記断面半円形の側面側に集めて注ぎ口３から注ぎ出せるようにした。【選択図】        図２
2004224354.tif 000002
【特許請求の範囲】
【請求項１】
上面部を開放して飲料水を収容するようにした容器本体と、上縁の一側に注ぎ口を具えるとともに、この注ぎ口を開閉する栓蓋を具えて容器本体の上面部に嵌着する密封蓋とを備えた密閉型冷水筒において、密封蓋の注ぎ口側の側面と、上記注ぎ口側の容器本体の側面を断面半円形に形成し、注ぎ口と対向する密封蓋と容器本体の他側面部をそれぞれ平面に形成して、容器本体と密封蓋の全周面の一方を断面半円形に形成し、他方に断面コ字形の周面を連続させた形状に形成し、この密閉型冷水筒を、上記注ぎ口のある側面を上にし、平面の他側面部を下にして横置きできるようにするとともに、容器本体内に残り少なくなった飲料水を上記断面半円形の側面側に集めて上記注ぎ口から注ぎ出せるようにしたことを特徴とする密閉型冷水筒。
【請求項２】
前記密封蓋は、前記注ぎ口側に接近させてねじ孔付きの栓孔を設け、この栓孔にハンドルとねじ付きの前記栓蓋を螺合し、このねじ付き栓蓋と栓孔との間で常時は上記注ぎ口を閉鎖するとともに、該ねじ付き栓蓋の一側に突設した覆い部で上記注ぎ口の上面を覆わせるようにしたことを特徴とする請求項１記載の密閉型冷水筒。
【請求項３】
前記容器本体の平面に形成した他側面部は、縦方向に沿って適宜に長く、適宜の深さを有する凹面部を具え、この他側面部の凹面部に把手の上下を固定するとともに、把手の把持部を上記凹面部内に嵌まり込ませて、この密閉型冷水筒の横置き時に、把手と載置面との接触が回避されて安定した横置き状態を保てるようにする一方、把手の把持に際しては、持ち手が上記把持部の裏側で凹面部内に回り込めるようにしたことを特徴とする請求項１記載の密閉型冷水筒。
【発明の詳細な説明】
【０００１】
【産業上の利用分野】
本発明は、例えば家庭の冷蔵庫内で飲料水を冷却する場合などに用いられるようにした密閉型冷水筒に関し、冷蔵庫内で縦にも横にも置けるようにしたことを特長とするものである。
【０００２】
【従来の技術】
上面部を開放した容器本体と、容器本体の上面部を覆って着脱自在に嵌着する密封蓋を備えて、容器本体に収容した飲料水を冷蔵庫内で冷却するようにした密閉型冷水筒は従来より一般に知られている（例えば、特許文献１参照）。
また、容器本体の一側に具えた注ぎ口と対向する他側面部に把手を備えた冷水筒も、従来より一般に知られている（例えば、特許文献２参照）。
特許文献１のように、密封蓋と共に容器本体を角形に形成した冷水筒には、冷蔵庫内で安定良く横置きできるが、把手が無いので、飲料水を注ぎ出す際に重量のある容器を持ち上げて傾ける操作がし難い欠点がある。また、注ぎ口を具えた側の側面が角形であるために、残り少なくなった容器本体内の飲料水の全量の注ぎ出し操作がし難く、残量を生じ易いという欠点もある。
一方、特許文献２の冷水筒は、注ぎ口と対向する他側面部に把手があるので、水漏れ防止の安全のために注ぎ口を上にした横置きは不可能で、冷蔵庫内に縦置きされる場合が多く、縦置きにより庫内の収容場所が制限されるという欠点がある。
【０００３】
【特許文献１】
特開２０００−１５７４００号公報  （第１頁、図１）
【特許文献２】
登録実用新案第３０７９３６３号公報  （第１頁、図１）
【０００４】
【発明が解決しようとする課題】
以上のことから本発明が解決しようとする課題は、冷蔵庫内で注ぎ口を上にして安定良く横置きでき、全量の注ぎ出しが容易で残量を生じ難く、かつ、重量のある容器を持って傾ける操作がし易い。以上のような機能を備えた密閉型冷水筒を提供することにある。
【０００５】
【課題を解決するための手段】
そこで本発明は、上面部を開放して飲料水を収容するようにした容器本体と、上縁の一側に注ぎ口を具えるとともに、この注ぎ口を開閉する栓蓋を具えて容器本体の上面部に嵌着する密封蓋とを備えた密閉型冷水筒において、密封蓋の注ぎ口側の側面と、上記注ぎ口側の容器本体の側面を断面半円形に形成し、注ぎ口と対向する密封蓋と容器本体の他側面部をそれぞれ平面に形成して、容器本体と密封蓋の全周面の一方を断面半円形に形成し、他方に断面コ字形の周面を連続させた形状に形成し、この密閉型冷水筒を、上記注ぎ口のある側面を上にし、平面の他側面部を下にして横置きできるようにするとともに、容器本体内に残り少なくなった飲料水を上記断面半円形の側面側に集めて上記注ぎ口から注ぎ出せるようにしたことを特徴とする密閉型冷水筒を提供するものである。
【０００６】
上記のように構成した本発明冷水筒は、注ぎ口のある側面を上側にし、平面に形成した他側面部を載置面として冷蔵庫の棚などに収容したときに安定した横置きができる。また、注ぎ口を具えた側の側面（一方の周面）が断面半円形であるから冷水筒内で残り少なくなった飲料水が注ぎ口のある側面側に自然に集められるので、全量の注ぎ出し操作が容易にできる。本発明は上記のようにして前記の課題を解決したものである。
【０００７】
容器本体の上面部に嵌着する密封蓋は、注ぎ口側に接近させてねじ付きの栓孔を設け、この栓孔にハンドルとねじ付きの栓蓋を嵌着し、この栓蓋と栓孔との間で常時は注ぎ口を閉鎖するとともに、該栓蓋の一側に突設した覆い部で上記注ぎ口の上面を覆わせるようにした請求項２の発明によれば、横置きした冷水筒の注ぎ口からの水漏れ防止がきる一方で、常時は覆い部により注ぎ口を塞いでいるので注ぎ口からの異物の混入を防止して、冷水筒の衛生的な使用ができる。
【０００８】
容器本体の平面に形成した他側面部に、縦方向に沿って適宜に長く、適宜の深さを有する凹面部を具え、この他側面部の凹面部に把手の上下を固定し、把手の把持部を該凹面部に嵌まり込ませるようにした請求項３の発明によれば、平面に形成した他側面部を下にした横置き時における冷水筒の把手と載置面との接触が回避されて、横ぶれとか傾きのない安定した横置き状態を保つ一方、把手の把持に際しては、持ち手を上記凹面部内の把持部の裏側に回り込ませることができるので、把手の把持とともに重量のある冷水筒の取り扱いが容易にできるなどの使用上の利点もある
【０００９】
【実施例】
以下に本発明の実施例を図面について説明する。
図１は、本発明の実施例を示す縦断正面図、図２は、実施例の右側面図、図３は、同じく平面図、第４図は、横置きした場合を左側面側から示す斜視図である。実施例を示す図において、１は、上面部を開放した容器本体、２は、容器本体１の開口縁１’に裏面の周縁部２’を嵌着した密封蓋、３は、密封蓋２の周縁部２’の一側（図１左側）に突設した注ぎ口である。
【００１０】
密封蓋２と容器本体１は、注ぎ口３のある側の側面（図１の左側面側）をそれぞれ断面半円形に形成し、注ぎ口３と対向する他側面部４（図示右側面）をそれぞれ平面に形成することによって、全周の内の左側半分を断面半円形に形成し、他方（右側半分）に断面コ字形を連続させた全周面を有する。なお、容器本体１と密封蓋２はそれぞれ樹脂の成形体で、この実施例では開口縁１’と周縁部２’の熱溶着により一体化されている。また、容器本体１の肉厚が略一定に成形されていることはいうまでもない。
【００１１】
密封蓋２は、上記のように一方の側面を半円形に、他方の側面を方形に形成し、注ぎ口３の形成位置に接近してねじ付きの栓孔５を開口させ、この栓孔５に、ねじ部６’を上部に具えた栓蓋６をねじ込み、栓孔５の底部と栓蓋６の下部との間に介設したパッキンリング５’により常時は注ぎ口３を閉鎖させ、栓蓋６から突出させた蓋部１１で注ぎ口３を覆い、栓蓋６の上面に具えたハンドル部６”を持って栓蓋６を回転させて、注ぎ口３の開閉を行うようにしている。
【００１２】
注ぎ口３と対向する側面を平面に形成した容器本体１の他側面部４は、縦の中心線上に沿い、かつ、縦方向に沿って適宜の長さと深さを有する凹面部７を具えている。この凹面部７は、上下に把手８の上下を固定して、把持部８’を含めて該把手８の全体が凹面部７内に陥没するように備え、かつ、把手８の把持部８’を持つ手の指が該把手部８’の裏側で凹面部７内に回り込めるようにした長さと深さを有する。
【００１３】
なお、この実施例において、上記把手８は、上部に、容器本体１の開口縁１’と密封蓋２の周縁部２’との溶着部の全周に外嵌する取付けリング部９を一体に具えることにより、容器本体１への取付けを容易に、かつ、強固にすると共に、該リング部９の外側面を横置き時の当接面にさせることにより、注ぎ口３の位置が高くなるようにするとともに、図１中に虚線で示す横置きの載置面１０と把手８との接触（干渉）を回避できるようにするとともに、該凹面部７の深さを可及的に少なくし、凹面部７を具えることによって生ずる容器本体１の容量低下を防ぐようにしている。
【００１４】
上述のように注ぎ口３のある側の容器本体１の側面を断面半円形に形成した本発明冷水筒は、注ぎ口３を下にして傾斜させると本体１内の飲料水が同側面側に自然に集まる。したがって、飲料水が残り少なくなった場合の注ぎ出しがスムーズにできて、収容量の全量排出が簡単にできる。また、把手８の把持が容易にできるので、飲用に際して重量のある容器本体１を持つとき傾けるときの操作も容易である。
【００１５】
なお、本発明の実施に際して、注ぎ口３のある側の側面の断面形状は、厳密な半円形に限らず、残量の排出に適う湾曲面であっても良い。また、容器本体１と密封蓋２および注ぎ口３の形状を含めて各部の態様は、本発明の要旨に沿ってその態様を適宜に設計変更できることはいうまでもない。
【００１６】
【発明の効果】
前記のように構成し、上記のように用いられるようにした本発明冷水筒は、縦にも横にも置けるので冷蔵庫内への収容が容易である。収容した飲料水が残り少なくなった場合の注ぎ出し操作が容易で、簡単に全量の排出ができるなどきわめて有用である。
【図面の簡単な説明】
【図１】図１は、本発明の実施例を示す縦断正面図
【図２】図２は、実施例の右側面図
【図３】図３は、実施例の平面図
【図４】図４は、横置きした場合の左側面側から示す斜視図である。
【符号の説明】
１  容器本体    （１’  開口縁）
２  密封蓋    （２’  周縁部）
３  注ぎ口
４  他側面部
５  栓孔    （５’  パッキンリング）
６  栓蓋    （６’  ねじ部、６”  ハンドル部
７  凹面部
８  把手    （８’  把持部）
９  取付けリング部
１０  載置面
１１  覆い部
【図１】
2004224354.tif 000003
【図２】
2004224354.tif 000004
【図３】
2004224354.tif 000005
【図４】
2004224354.tif 000006